(57)【要約】【課題】泡吐出容器を長時間放置しても、目詰まりの発生を抑制し、水っぽくない、立体的な泡を形成できる。【解決手段】泡吐出容器１に装着され、液剤と気体とを混合させた混合液剤を泡化させる発泡部材４０であって、前記混合液剤の流速を高める１又は複数の貫通孔４２と、流速が高まった前記混合液剤を衝突させることで、乱流を形成して前記混合液剤を泡立てる衝突部４３と、を有する。【選択図】図２
2020196497.tif 000002
【特許請求の範囲】
【請求項１】
泡吐出容器に装着され、液剤と気体とを混合させた混合液剤を泡化させる発泡部材であって、
前記混合液剤の流速を高める１又は複数の貫通孔と、
流速が高まった前記混合液剤を衝突させることで、乱流を形成して前記混合液剤を泡立てる衝突部と、を有する
発泡部材。
【請求項２】
当該発泡部材は、前記泡吐出容器に備えられる前記混合液剤が内部を流動する流動管の内周面と連続して、流路を形成する筒部を有しており、
前記貫通孔は、前記筒部の内周側において、軸方向に延伸するように、孔空き柱部に形成されており、
前記衝突部は、前記筒部内の内周側において、前記孔空き柱部と非接触で、前記筒部の内周付近の少なくとも一部には間隙が形成されるように外縁が位置し、前記筒部の円周方向の中央部を含んで構成されている衝突板である
請求項１に記載の発泡部材。
【請求項３】
前記孔空き柱部の前記混合液剤の流動方向の下流端面と、前記衝突板の上流端面との空間の軸線方向の距離は２mm〜１０mmである
請求項２に記載の発泡部材。
【請求項４】
前記衝突板の前記外縁は、２以上の架橋部によって前記筒部の内周面と連結している
請求項２又は３に記載の発泡部材。
【請求項５】
前記衝突板は、上面視で円形である
請求項２乃至４のいずれか一項に記載の発泡部材。
【請求項６】
前記衝突板の前記外縁と前記筒部の内周面との前記間隙の距離は０．４mm〜１．０mmである
請求項２乃至５のいずれか一項に記載の発泡部材。
【請求項７】
前記筒部は樹脂で構成され、前記筒部は、軸線方向に分割された一組の分割体であり、
一方の分割体に前記孔空き柱部が一体的に形成され、
他方の分割体に前記衝突板が一体的に形成され
前記一組の分割体を互いに組み付けたときに、前記筒部の内周面は連続的になる
請求項２乃至６のいずれか一項に記載の発泡部材。
【請求項８】
前記孔空き柱部の下流端面と、前記衝突板の上流端面との空間の少なくとも一部において、
前記一組の分割体のいずれか一方の端部は、筒部の内周側が薄い外側薄肉部であり
前記一組の分割体のいずれか他方の端部は、筒部の外周側が薄い内側薄肉部であり
前記外側薄肉部の内側に、前記内側薄肉部がはまり込んで、前記分割体が組み付けられる
請求項７に記載の発泡部材。
【請求項９】
前記一方の分割体の下流端面と、前記他方の分割体の上流端面とを連結する、前記一組の分割体と一体成形されたヒンジ部を有し、
前記ヒンジ部を中心として、前記一組の分割体の少なくとも一方を回転させて前記一組の分割体を組み付ける
請求項７に記載の発泡部材。
【請求項１０】
当該発泡部材は、
筒状部材と、
前記筒状部材が装着されるヘッド部の一部と、を備え
前記筒状部材は、
前記混合液剤が通過する筒部、及び
前記筒部の内周側において、前記混合液剤の流速を高めるように軸方向に延伸する１又は複数の貫通孔が形成された孔空き柱部、を有しており、
前記ヘッド部は、
前記発泡部材の後段に設けられ、前記筒状部材の前記筒部と同じ方向に延伸する筒状の流動管、
前記流動管から連接され、泡化した前記液剤を吐出する吐出ノズル、及び
前記流動管の内周に設けられる衝突板を有しており、
前記衝突板は、軸方向において前記孔空き柱部と非接触で、前記流動管の内周付近の少なくとも一部には間隙が形成されるように外縁が位置し、前記流動管の中央部を含んで構成されており、
前記流動管及び前記衝突板は、前記発泡部材として機能する
請求項１に記載の発泡部材。
【請求項１１】
請求項１乃至９のいずれか一項に記載の発泡部材と、
前記発泡部材の前段に設けられ、液剤と気体とを一緒に噴射させる噴射部材と、
容器本体から前記噴射部材に向けて前記液剤を送出する送出機構と、
前記噴射部材及び前記発泡部材が内周に嵌めこまれる流動管と、
前記流動管の出口に連接され泡化した前記液剤を吐出する吐出ノズルと、を備えている
泡吐出ディスペンサー。
【請求項１２】
請求項１０に記載の発泡部材と、
前記発泡部材の前記筒部に装着される液剤と気体とを一緒に噴射させる噴射部材と、
容器本体から前記噴射部材に向けて前記液剤を送出する送出機構と、を備えている
泡吐出ディスペンサー。
【請求項１３】
請求項１１又は１２に記載の泡吐出ディスペンサーと、
液剤を貯留する容器本体と、を備えている
泡吐出容器。
【発明の詳細な説明】
【技術分野】
【０００１】
本発明は、液剤と気体とを混合した混合液剤を泡化させる発泡部材、発泡部材を有する泡吐出ディスペンサー、及び発泡部材を有する泡吐出容器に関する。
【背景技術】
【０００２】
泡吐出容器において、一般的に、液体用シリンダの内部から供給された液体と空気用シリンダの内部から供給された空気とを混合させ、この混合流体が発泡手段を通過することで発泡させるように、発泡手段をメッシュで形成することが知られている（例えば、特許文献１）。
【０００３】
また、発泡部材を、ウレタンフォームなどの単一の多孔体発泡体で構成する特許文献２や、不織布で構成する特許文献３が知られている。
【先行技術文献】
【特許文献】
【０００４】
【特許文献１】特開２０１２−１５７８２２号公報
【特許文献２】特許第４７２９５６９号公報
【特許文献３】特開２０１５−２２７１８３号公報
【発明の概要】
【発明が解決しようとする課題】
【０００５】
しかし、特許文献１〜３に示すメッシュ、ウレタンフォーム、不織布等のいずれを発泡部材に用いても、泡吐出容器を、高温多湿の環境下に長時間放置すると、発泡部材上で液剤が固化することで、発泡部材に目詰まりが発生するという問題を、十分に改善するには至っていない。
【０００６】
そこで、本発明は上記事情に鑑み、泡吐出容器を長時間放置しても、目詰まりの発生を抑制し、水っぽくない、立体的な泡を形成できる、発泡部材の提供を目的とする。
【課題を解決するための手段】
【０００７】
上記課題を解決するため、本発明の一態様では、
泡吐出容器に装着され、液剤と気体とを混合させた混合液剤を泡化させる発泡部材であって、
前記混合液剤の流速を高める１又は複数の貫通孔と、
流速が高まった前記混合液剤を衝突させることで、乱流を形成して前記混合液剤を泡立てる衝突部と、を有する
発泡部材、を提供する。
【発明の効果】
【０００８】
一態様によれば、発泡部材は、泡吐出容器を長時間放置しても、目詰まりの発生を抑制し、水っぽくない、立体的な泡を形成できる。
【図面の簡単な説明】
【０００９】
【図１】本発明の一実施形態に係る泡吐出容器の全体断面図。
【図２】第１実施形態の発泡部品の拡大図と断面図。
【図３】（ａ）本発明の発泡部材を設けない場合の流路の断面図、（ｂ）比較例の発泡部材の斜視断面図、（ｃ）本発明の発泡部材の斜視断面図。
【図４】（ａ）本発明の発泡部材を設けない場合の泡状態を示す図、（ｂ）比較例の発泡部材に対応する泡状態を示す図、（ｃ）本発明の発泡部材の泡状態を示す図。
【図５】本発明の発泡部材に流れる、液体の速さ及び液体の流れを示すシミュレーション図。
【図６】本発明の発泡部材における条件を変更した場合の各部位のサイズを示す表。
【図７】衝突板と孔空き柱との距離を変更した場合の構成例と泡状態を示す図。
【図８】孔空き柱における孔のサイズを変更した場合の構成例と泡状態を示す図。
【図９】孔空き柱の高さを変更した場合の構成例と泡状態を示す図。
【図１０】衝突板の外縁と内周面との隙間幅を変更した場合の構成例と泡状態を示す図。
【図１１】本発明の発泡部材を分割体で構成する第２実施形態を示す図。
【図１２】本発明の発泡部材をヒンジを介して折り畳み可能にする第３実施形態を示す図。
【図１３】本発明の発泡部材の一部をヘッド側に設ける第４実施形態を示す図。
【図１４】第４実施形態の発泡部材を構成するヘッド部と筒状部材をそれぞれ示す図。
【発明を実施するための形態】
【００１０】
以下、図面を参照して本発明を実施するための形態について説明する。なお、すべての図面において、同様の構成要素には同一の符号を付し、重複する説明は適宜に省略する。
【００１１】
＜泡吐出容器の構成＞
まず、本発明の泡吐出容器の全体構成について図１を用いて説明する。図１は、本発明の一実施形態に係る泡吐出容器１の全体図である。
【００１２】
図１に示すように、泡吐出容器１は、液剤Lを常圧で貯留する容器本体９００と、容器本体９００に対して着脱可能に装着されるキャップ部である泡吐出ディスペンサー１００と、を備えて構成されている。
【００１３】
容器本体（ボトル部）９００は、液体の液剤Lを貯留する。容器本体９００は、胴部９１と、肩部９２と、口部９３と、底部９４と、を有している。底部９４は、胴部９１との下端を閉塞しており、胴部９１と底部９４とが液体の収容部となる。肩部９２は、胴部９１の上端に連接されている。口部９３は、肩部９２の内側端に連接され、胴部９１よりも径が小さい円筒状形状であり、口部９３の上面は開口している。
【００１４】
なお、図１に示す容器本体９００の胴部形状は、胴部９１が円筒状である例を示しているが、胴部９１の形状は、口部９３が略円筒状であれば、胴部は、角筒状や、円錐状、ひょうたん型、卵型等、どのような形状であってもよい。
【００１５】
泡吐出ディスペンサー１００は、液剤Lを貯留する容器本体９００に装着して用いられる。ポンプ機能を有する泡吐出ディスペンサー１００が、容器本体９００に装着されることで、泡吐出容器１は、プッシュ式のポンプ容器として機能する。
【００１６】
詳しくは、泡吐出ディスペンサー１００は、ポンプ機能を有する送出機構１０と、気液混合部２０と、泡流路である噴射部材３０と、発泡部材４０（図２参照）と、吐出口５１を含むヘッド部５０と、ネジキャップ部６０とを備えている。
【００１７】
泡吐出ディスペンサー１００では、送出機構１０によって、容器本体９００から吐出口５１に向けて液体の液剤Lを送り出し、気液混合部２０において液剤Lと気体とが混合して、粗く泡化した混合液剤Mとなる。そして、送出機構１０の送り出し力により、気液混合部２０にて気体と混合した混合液剤Mを、噴射部材３０内を通過させて、ヘッド部５０の吐出口５１に向けて流動する。即ち、噴射部材３０は、液剤と気体とが一緒になった混合液剤を噴射させる。この際、発泡部材４０は、噴射部材３０の下流で、混合液剤Mをきめ細かく均一に泡化させる。さらに、送出機構１０の送り出し力により、泡化した液剤Fを、ヘッド部５０内部で流動させて、吐出口５１から泡化した液剤Fを吐出する。
【００１８】
送出機構１０には、液剤及び気体のポンプ機能が含まれており、ヘッド部５０が押下されることにより、容器本体９００から吐出口５１（流通路）に向けて液体の液剤Lを吸い込んで、送り出す。この送り出し期間中に、泡吐出ディスペンサー１００において、液剤を泡化し、泡化した液剤を吐出する。
【００１９】
なお、本明細書において、容器本体９００に貯留されている非泡状の液体状の液剤をL、気液混合後の液剤をM、泡流路後の泡状の液剤F（泡）と呼称し、それぞれ区別して記載する。
【００２０】
泡吐出ディスペンサー１００の上方に設けられるヘッド部５０は、吐出口５１が形成されている吐出ノズル５２と、操作受部５３と、流動管５４と、外筒５５とを有する。操作受部５３は、ヘッド部５０の上面であって、使用者が泡を吐出させる際に、接触して押下操作を受け付ける。流動管５４及び外筒５５は、操作受部５３から垂下して、上下方向に延伸している円筒状（円管状）の部材である。本構成では、内筒である流動管５４の方が、外筒５５よりも下方向に長く延伸している。
【００２１】
また、流動管５４の内周面には、筒状の泡流路である噴射部材３０が設けられている。噴射部材３０は、軸方向が上下方向に延在している、上下で異なる形状を有する筒状形状である。噴射部材３０は、上流側（下側）から外流側（上側）に向かって徐々に径が大きくなる拡径リング３１と、その拡径リング３１の下流端と連接され、該下流端よりも径の大きい大径リング３２とで構成されている。噴射部材３０の大径リング３２の外周は、ヘッド部５０の流動管５４の内周面に嵌め込まれている。
【００２２】
また、ネジキャップ部６０は、泡吐出ディスペンサー１００において、容器本体９０の口部９３に装着される。詳しくは、ネジキャップ部６０は、装着部６１と、キャップ肩部６２と、起立筒部６３とを備えている。装着部６１は、円筒形状であって、螺合等によって容器本体９００の口部９３に対して着脱可能に装着される。
【００２３】
また、泡吐出ディスペンサー１００を組み立てる際に、ヘッド部５０の流動管５４と外筒５５とが、ネジキャップ部６０の起立筒部６３を内側と外側から挟むように、ヘッド部５０がネジキャップ部６０に対して係合される。
【００２４】
さらに、泡吐出ディスペンサー１００を容器本体９００に取り付ける際に、ネジキャップ部６０の装着部６１が、容器本体９００の口部９３に装着されることにより、泡吐出ディスペンサー１００の全体が口部９３に装着されて、泡吐出ディスペンサー１００によって容器本体９００の開口が閉鎖される。
【００２５】
泡吐出ディスペンサー１００は、ヘッド部５０の押下操作に連動して作動する送出機構１０によって、液剤ポンプ機能及び気体ポンプ機能を有している。
【００２６】
次に、送出機構１０の詳細構成について説明する。泡吐出ディスペンサー１００において、送出機構１０は、シリンダ部１１０と、ピストンガイド１２０と、液ピストン１３０と、ポペット１４０と、気体ピストン１５０と、ボール弁１６０とを備えている。
【００２７】
シリンダ部１１０は、ネジキャップ部６０に固定されており、一部に液体が注入され、他の部分に気体を一時的に貯留する。詳しくは、シリンダ部１１０はエアーシリンダ部１１１と、環状連結部１１３と、液シリンダ部１１４とを一体的に構成している。
【００２８】
エアーシリンダ部１１１は、ネジキャップ部６０のキャップ肩部６２の下面側に対して上端部が固定されており、上下方向に延伸している。泡吐出ディスペンサー１００が容器本体９００に対して閉塞状態を保つように、空気弁１７０の部分を除き、容器本体９００の内部空間が密閉される。また、側壁状のエアーシリンダ部１１１には横穴１１２が形成されている。
【００２９】
液シリンダ部１１４は、容器本体９００の液体の液剤Lを吸引する筒状の吸引ノズルであって、上下方向に延伸している。液シリンダ部１１４は、先端の小径部と、上側の大径部と、小径部と大径部とを連結する、径縮部１１５とで構成されている。径縮部１１５の内側テーパー面とポペット１４０のバルブ１４１とが接触・離間することで液の流入・停止を制御する。
【００３０】
環状連結部１１３は、シリンダ部１１０における内底部であって、エアーシリンダ部１１１の下端部と液シリンダ部１１４の上端部とを連結する部分である。液シリンダ部１１４は環状連結部１１３の内周縁から垂下している。
【００３１】
ピストンガイド１２０は、中央で上下方向に延伸している筒状部材であり、上端には、筒状起立部１２１及び環状起立部１２２が一体的に設けられている。また、ピストンガイド１２０の下端は、液シリンダ部１１４の上端付近の内周に位置している。さらに、ピストンガイド１２０の外周には、静置中に、気体ピストン１５０の内周壁１５２の下端と上面が接触するガイド突起１２３が設けられている。
【００３２】
ピストンガイド１２０の上端の筒状起立部１２１は、ヘッド部５０の、流動管５４の下端周辺に内嵌された状態で、流動管５４に対して上下位置が固定される。
【００３３】
液ピストン１３０は、ピストンガイド１２０の内周側に挿入され、ピストンガイド１２０から下方に突出するように、ピストンガイド１２０の下端に固定されて設けられている。したがって、ヘッド部５０、ピストンガイド１２０及び液ピストン１３０は、液シリンダ部１１４に対して、一体的に上下動する。液ピストン１３０の下端部と液シリンダ部１１４とは、密着して接触し気密性を常に確保している。
【００３４】
そして、ポペット１４０は、上下に延伸する棒状部材であって、液ピストン１３０を貫通した状態で、ピストンガイド１２０の内部から液シリンダ部１１４の内部に亘って挿通されている。ポペット１４０は、液ピストン１３０及びピストンガイド１２０に対して相対的に上下動可能であるとともに、液シリンダ部１１４に対しても相対的に上下動可能となっている。ポペット１４０の一端（下端）は、中心の軸部に比べ拡径したバルブ１４１であり、他端（上端）には、筒の外周側に径が広がった拡径部又は外周側へ突出する突起が設けられている。
【００３５】
また、ポペット１４０のバルブ１４１以外の軸部の略下半分を取り囲むように、上下方向に力を調整するコイルバネであるスプリング１８０が設けられている。
【００３６】
ここで、気体ピストン１５０は、ピストンガイド１２０の外周とエアーシリンダ部１１１の上端周辺の内壁との間に配置されている。気体ピストン１５０の外周端は広がったスライド外端壁１５１であり、エアーシリンダ部１１１に対して密着して接触しており、内周側の内周壁１５２は、ピストンガイド１２０に対して、相対的に上下動可能な遊挿状態で広がって外嵌されている。静置状態では、スライド外端壁１５１は、エアーシリンダ部１１１の横穴１１２を塞いでいる。また、気体ピストン１５０の内周壁１５２の近傍には、上部孔１５３が形成されている。
【００３７】
また、気体ピストン１５０の内周壁１５２の外側に、空気弁１７０が設けられている。静置時は、空気弁１７０の下面と、気体ピストン１５０の下面と、エアーシリンダ部１１１と環状連結部１１３で囲まれた空間に、気体が貯留されている。
【００３８】
そして、ピストンガイド１２０の上端の筒状起立部１２１の内周であって、環状起立部１２２の上側に、ボール弁１６０が設けられている。ボール弁１６０は、環状起立部１２２の上端を開閉する。泡吐出ディスペンサー１００では、ヘッド部５０に装着されている噴射部材３０の下側の拡径リング３１の外周面は、ピストンガイド１２０の上端の筒状起立部１２１の内側に嵌めこまれる。
【００３９】
ここで、気液混合部２０は、例えば、ボール弁１６０の周辺であって、筒状起立部１２１に囲まれる内側空間である。
【００４０】
そして、気液混合部２０にて気体と混合した液剤Mは、ヘッド部５０に装着された噴射部材３０及び噴射部材３０の後段に設けられた発泡部材４０を通過することで、さらにきめ細かく泡化される。
【００４１】
このように、液剤Ｌがピストンガイド１２０を通って、ヘッド部５０の流動管５４の内側流動する際に、噴射部材３０及び発泡部材４０によって泡化された液剤Fは、ヘッド部５０の流動管５４の上部の内周内を上方に流動した後、横方向に延伸する吐出ノズル５２に沿って流動して吐出口５１から吐出される。
【００４２】
＜液体・気体の流れ＞
ここで、液体、気体の流れの概略を説明する。
【００４３】
（静置状態）ヘッド部５０が押下されずに待機している静置状態では、吸い上げられた液体状の液剤Lは、ピストンガイド１２０の環状起立部１２２の上端でボール弁１６０によってシールされ、保持されている。さらに空気弁１７０と気体ピストン１５０とは接触し、気密状態が保持されている。一方、ポペット１４０の下端のバルブ１４１の下端面は液シリンダ部１１４の径縮部１１５の内側テーパー面を開放している。
【００４４】
（押し下げ）ヘッド部５０が押し下げられている期間では、ヘッド部５０の下方向の作動と連動して、ピストンガイド１２０が押し下がり、ピストンガイド１２０の下端により、ポペット１４０が押し下げられることで、ポペット１４０の下端のバルブ１４１で液シリンダ部１１４の下端の径縮部１１５の内側テーパー面がシールされる。
【００４５】
また、ヘッド部５０の押し下げにより、上部孔１５３は空気弁１７０に閉鎖されたまま、ガイド突起１２３の上面が、気体ピストン１５０の内周壁１５２の下端から離間することで、エアーシリンダ部１１１に貯留されていた気体が、ピストンガイド１２０の外周と内周壁１５２の内周との間へと押し出される。
【００４６】
押し出された空気はボール弁１６０付近の気液混合部２０で液と混ざりあって混合液剤Mとなり、製泡される。その直後、液と空気の混合物が泡流路である噴射部材３０の小径を通過し、ジェット噴射することで発泡部材４０に当たり整泡され、泡Fとして吐出される。
【００４７】
（押し戻り）そして、押し下げ後は、ポペット１４０を取り囲むスプリング１８０の復元力により、ヘッド部５０が上方に自動的に復帰する。この際、上方のボール弁１６０によるボールシールが閉じ、下端のポペット１４０によるポペットシールが開放することで液が吸い上げられる。
【００４８】
この押し戻りの際、エアーシリンダ部１１１の圧力低下に伴い、空気弁１７０が気体ピストン１５０から離間して開くことで、上部孔１５３を通って空気がエアーシリンダ部１１１内に供給される。
【００４９】
また、押し下げ及び押し戻りにおいて、ヘッド部５０が静置状態から所定高さ（例えば、数mm）以上移動している期間は、スライド外端壁１５１がエアーシリンダ部１１１の横穴１１２を開放し、横穴１１２から容器本体９００に空気が供給される。
【００５０】
なお、上記では、手動ポンプ式の送出機構１０により、液剤と気体とを吸い上げて混合して押し出す例を説明したが、本発明の泡吐出容器は、この例に限らず、電動ポンプによって液剤Lと気体とをそれぞれ圧送し、これらを混合させて泡化し吐出する電動ディスペンサーであってもよい。あるいは、泡吐出容器は、容器本体が圧搾されることにより泡を吐出するように構成されるスクイズボトルであってもよい。
【００５１】
ここで、図１では、容器本体９００及び泡吐出ディスペンサー１００の構成の説明において、下方向を上流側、上方向を下流側として説明したが、これらの方向は、容器本体９００及び泡吐出ディスペンサー１００の製造時及び使用時における方向を制限するものではなく、泡吐出容器１は、下向きや横向きに配置して使用してもよい。
【００５２】
そして、発泡部材４０において、筒部４６の内側には、複数の貫通孔４２が形成された孔空き柱部４１と、衝突板（衝突部の一例）４３とが設けられている。発泡部材４０の詳細は、図２とともに後述する。
【００５３】
このような構成の泡吐出ディスペンサー１００において、液剤Ｌがピストンガイド１２０を通って、ヘッド部５０の流動管５４の内側流動する際に、噴射部材３０及びその下流の発泡部材４０によって泡化された液剤Fは、ヘッド部５０の流動管５４の上部の内周内を上方に流動した後、横方向に延伸する吐出ノズル５２に沿って流動して吐出口５１から吐出される。
【００５４】
＜第１実施形態の発泡部材（発泡部品）＞
図２は、本発明の第１実施形態の発泡部材４０の拡大透視図と断面図である。詳しくは、図２において（ａ）は発泡部材４０周辺の拡大斜視図であり、（ｂ）は発泡部材４０の図２（ａ）のＡ面断面図であり、（ｃ）は発泡部材４０の図２（ａ）のＢ面断面図である。
【００５５】
発泡部品（泡発生パーツ）の一例である発泡部材４０は、孔空き柱部４１と、衝突板４３と、筒部４６とを有している。
【００５６】
図２（ａ）に示すように、発泡部材４０の筒部４６は、混合液剤が内部を流動する、噴射部材３０の下流側の大径リング３２と、ヘッド部５の流動管５４と連続して、流路を形成する。
【００５７】
貫通孔４２は、筒部４６の内周側において軸方向に延伸するように、孔空き柱部４１を貫通するように形成されている小孔である。
【００５８】
衝突板４３は、筒部４６内の内周側において、孔空き柱部４１と非接触で、筒部４６の内周付近の少なくとも一部には間隙が形成されるように外縁が位置し、筒部４６の円周方向の中央部を含んで構成されている。
【００５９】
衝突板４３の外縁は、図２（ａ）示すように、４本の架橋部４４ａ，４４ｂ，４４ｃ，４４ｄによって、筒部４６の内周面４６Ｉと連結している。なお、本例では４本の例を示すが、架橋部は２本以上であれば何本であってもよい。
【００６０】
そして、上面視で円形の丸型の衝突板４３の外縁と、筒部４６の内周面４６Ｉとの間には、架橋部４４ａ，４４ｂ，４４ｃ，４４ｄによって断続された部分リング状の隙間４５ａ，４５ｂ，４５ｃ，４５ｄが形成されている。この隙間４５ａ〜４５ｄが、泡が通り抜ける流路となる。
【００６１】
このような構成の発泡部材４０を混合液剤Mが通過する際、混合液剤Ｍは、孔空き柱部４１の貫通孔４２を通過することで、流路が細くなるため、流速が高まる。そして、流速が高まった混合液剤が、衝突板４３に衝突することで、乱流を形成して混合液剤を泡立て、その乱流した泡が、合流しながら隙間４５ａ〜４５ｄを通過する。これにより、きめ細かい泡を生成することができる。
【００６２】
＜比較例と従来例との比較（実験例１）＞
次に、図３、図４を用いて、発明の構成と他の構成との泡の状態を比較する。
【００６３】
図３は本構成と比較例の構成を示す図であり、図４は泡の状態を示す図である。詳しくは、図３において、（ａ）は発泡部材を設けない場合の流路の断面図で、（ｂ）は比較例の発泡部材の斜視断面図で、（ｃ）は本発明の発泡部材の斜視断面図である。
【００６４】
また、図４において、（ａ）は発泡部材を設けない泡吐出器から吐出した泡の状態を示す図であり、（ｂ）は比較例の発泡部材を設けた泡吐出容器から吐出したに泡の状態を示す図であり、（ｃ）本発明の発泡部材を設けた泡吐出容器から吐出した泡の状態を示す図である。
【００６５】
図３（ａ）は、発泡部材やメッシュなどいずれの泡立てパーツを設けない場合の構成を示している。この泡立てパーツを設けない場合の泡の写真を図４（ａ）に示す。本例では、合流部で気体と液体とを合流させるため、泡は出来るが、図４（ａ）に示すように、その泡は、粗く、水っぽいことがわかる。
【００６６】
ここで一般的には、泡をより細かくするために、発泡部材としてメッシュが用いられ、その場合、細かいメッシュの網目を泡が通ることで、吐出される泡が、立体的なクリーミーな泡となる。立体的な泡とは、水っぽさが減り、気泡が層状に沢山集まり、反対側が透過せずに白っぽくなった泡を指す。しかし、一般的な泡吐出容器を、高温多湿の環境下に長時間放置すると、中身が固化し、メッシュに目詰まりが発生し、ヘッド部をプッシュしても中身が出てこないという不具合が発生することが知られている。
【００６７】
そこで、メッシュを用いずに、泡を細かくするため、本発明の発泡部品の一部を比較例として検討する。詳しくは、筒状の発泡部材の一部である孔空き柱部４１を設け、衝突板を設けない構成である、図３（ｂ）の発泡部材４Ｘを、比較例として図３（ａ）の点線で示す位置にセットする。比較例では、孔空き柱部４１を設けることで、複数の孔４２を泡が通過する際に流速を高める構成である。このように、泡が通る流路を一気に細くし、その通り道を複数設けることで流速を一気に上げて、通過する泡を細かくしている。この構成を用いて泡を吐出したところ、図４（ｂ）のようになった。
【００６８】
図４（ｂ）に示すように、比較例の構成では、図４（ａ）に示す発泡部材を何も設けない場合よりは、泡が細かくなっているが、まだ目に見える大き目の気泡が多数存在し、クリーミーな質感が不足する。
【００６９】
図３（ｃ）は本発明の発泡部材４０を示す図であり、図３（ｃ）の構成は、図３（ｂ）の構成と比較して、衝突板４３が設けられている。この構成を用いて泡を吐出したところ、図４（ｃ）のようになった。
【００７０】
図４（ｃ）に示す泡は、図４（ｂ）と比べて、泡がさらに改善し、泡がキメ細かくなり、目に見える大きめの気泡がほとんどなくなり、立体的に空気を含んだクリーミーな質感が実現できていることがわかる。
【００７１】
＜本発明における液体の流れ（実験例２）＞
次に、発泡部材を含む流路における液体の流れについて説明する。
【００７２】
図５は、本発明の発泡部材４０を通過する、液体の速さ及び液体の流れを示すシミュレーション図である。詳しくは、図５（ａ）は、発泡部材を含む流路内の液体の速さを示すシミュレーション図であり、図５（ｂ）は発泡部材を含む流路内の液体の流れ（せん断速度）を示すシミュレーション図である。
【００７３】
シミュレーションでは、図２（ａ）に示す本発明の発泡部材を含む前後の流路を使用して解析した。
【００７４】
図５（ａ）に示す速度解析では、孔空き柱部４１の貫通孔４２を水が通過している際に、流速が大幅に上昇していることがわかる。このように、流路の径が細くなることで、流体の流速が上がることが確認された。
【００７５】
さらに、図５（ｂ）において、流体の流れを示す中央の小さな矢印に着目すると、孔空き柱部４１を通過して、中央周辺や、架橋部４４ａ〜４４ｄと対向する複数の孔４２から噴出した流体は、一旦衝突板４３の下面にぶつかって、架橋部４４ａ〜４４ｄのない、隙間４５ａ〜４５ｄの方へ移動する。また、隙間４５ａ〜４５ｄと対向する孔４２から噴出した流体は、移動してきた流体と合流して混合しながら、衝突板４３の外縁と筒の内周面との隙間４５ａ〜４５ｄを通過する。このように、流体同士が流れの中でぶつかりやすいことが確認された。
【００７６】
そして、図５（ｂ）において、上方の矢印に着目すると、衝突板４３の外側の隙間４５ａ〜４５ｄを通過した後は、上方から下方に落ちる渦（乱流）が発生している。
【００７７】
図３（ｃ）に示す本発明では、衝突板４３を設けているため、図５（ａ）、（ｂ）に示すように、流路を細い孔４２にすることで流速を上げた後、内容物が流路を邪魔する衝突板４３の下面に衝突することで、乱流が発生している。これにより、泡が細かくなることが予測される。
【００７８】
＜泡発生適正範囲の検討＞
上記のように、本発明では、発泡部材において孔空き柱部４１と、衝突板４３を含むことを説明したが、その最適値について泡の状態の観察実験を行った。
【００７９】
図６は、本発明の発泡部材における各種部分のサイズを示す表である。
【００８０】
（実験例３）
本実験では、衝突板４３と、孔空き柱部４１との距離について検討すべく、距離を変更して作成した発泡部材を用いた泡吐出容器から吐出した泡を観察した。
【００８１】
図７に衝突板４３と孔空き柱部４１との距離を変更した場合の構成例と泡状態を示す。より詳しくは、図７（ａ）は、衝突板４３の上流端面４３Ｕと孔空き柱部４１の下流端面４１Ｄとの距離を２．５mmにした場合の発泡部材の断面図であって、その発泡部材を用いた泡吐出容器で吐出された泡の写真が図７（ｄ）である。同様に、図７（ｂ）は、上記距離を５mmにした場合の発泡部材の断面図であって、それに対応する泡の写真が図７（ｅ）である。図７（ｃ）は、上記距離を９mmにした場合の発泡部材の断面図であって、それに対応する泡の写真が図７（ｆ）である。
【００８２】
図７（ｄ）〜（ｆ）に示すように、いずれの泡も、図４（ｂ）に示す泡よりは、目に見える大きさの気泡が小さくなっていることがわかる。よって、孔空き柱部４１の混合液剤の流動方向の下流端面４１Ｄの上部に配置された衝突板４３はいずれの距離も泡質の向上に効果があり、上流端面４３Ｕとの空間の軸線方向の距離は2mm〜10mmであると好適である。
【００８３】
さらに、図７（ｄ）〜（ｆ）を比較すると、図７（ａ）や図７（ｃ）よりも図７（ｂ）の構成の方がさらに、泡に目に見える気泡が少なく、ほとんど背面が見えないため立体的でクリーミーであり、泡質が良いそのため、軸線方向の孔空き柱部４１の混合液剤の流動方向の下流端面４１Ｄと、衝突板４３の上流端面４３Ｕとの空間の距離は、３mm〜８mmであると、さらに好ましい。
【００８４】
ここで、泡の「泡質が良い」とは、泡に目に見える気泡が小さく且つ、気泡が少なく、さらに気泡により背面がなるべく見えない、即ち、泡のキメが細かく、泡が立体的でクリーミーであることを指す。なお、泡質が悪いは、その逆を指す。
【００８５】
（実験例４）
本実験では、孔空き柱部４１における貫通孔（単に孔とも呼ぶ場合もある）４２の大きさを変更した発泡部材４０を含む泡吐出装置で泡を吐出させて、泡を観察した。
【００８６】
図８には、孔空き柱部４１における孔４２のサイズを変更した場合の構成例と泡状態を示す。より詳しくは、図８（ａ）は、孔空き柱部４１における孔４２を直径０．７mmで３７個形成した場合の発泡部材の断面図であって、その発泡部材を用いた泡吐出容器で吐出された泡の写真が図８（ｄ）である。
【００８７】
同様に、図８（ｂ）は、孔４２を直径１mmで１９個形成した場合の発泡部材の断面図であって、それに対応する泡の写真が図８（ｅ）である。図８（ｃ）は、孔４２を直径２mmで４個形成した場合の発泡部材の断面図であって、それに対応する泡の写真が図８（ｆ）である。
【００８８】
図８（ｄ）〜（ｆ）に示すように、いずれの泡も、衝突板４３の無い図４（ｂ）に示す泡よりは泡質が良くなっているが、衝突板４３がある状態では、孔空き柱部４１の孔４２の直径は、上記の変化ではあまり泡質に変化がないため、例えば、０．６mm〜２．５mmであると好適である。
【００８９】
（実験例５）
本実験では、孔空き柱部４１における柱の高さ（孔の長さ）を変更した発泡部材を含む泡吐出装置で泡を吐出させて、泡を観察した。
【００９０】
図９は、孔空き柱部４１の高さを変更した場合の構成例と泡状態を示す図である。詳しくは、図９（ａ）は、孔空き柱部４１の高さ（長さ）を２．５mmにした場合の発泡部材の断面図であって、その発泡部材を用いた泡吐出容器で吐出された泡の写真が図９（ｄ）である。同様に、図９（ｂ）は、上記高さを５mmにした場合の発泡部材の断面図であって、それに対応する泡の写真が図９（ｅ）である。図９（ｃ）は、上記高さを９mmにした場合の発泡部材の断面図であって、それに対応する泡の写真が図９（ｆ）である。
【００９１】
図９（ｄ）〜（ｆ）に示すように、いずれの泡も、衝突板４３の無い図４（ｂ）に示す泡よりは泡質が良くなっているが、衝突板４３がある状態では、孔空き柱部４１の高さは、上記の変化では泡質にあまり差がないため、例えば、２mm〜１０mmであると好適である。
【００９２】
ただし、孔空き柱部４１の長さが長くなると、孔４２を通過する距離が増えるため、ヘッド部５０を押す際の抵抗（押し圧）が増える。そのため、孔空き柱部４１の長さはあまり長すぎない方が好ましい。
【００９３】
（実験例６）
本実験では、衝突板４３における外縁４３Ｏと筒部４６の内周面４６Ｉとの隙間４５の間隔を変更した発泡部材を含む泡吐出装置で泡を吐出させて、泡を観察した。
【００９４】
図１０は、衝突板４３の外縁４３Ｏと筒部４６の内周面４６Ｉとの隙間４５ａ〜４５ｄの幅を変更した場合の構成例と泡状態を示す図である。詳しくは、図１０（ａ）は、突板の外縁と内周面との隙間４５ａ〜４５ｄの幅を０．４mmにした場合の発泡部材の断面図であって、その発泡部材を用いた泡吐出容器で吐出された泡の写真が図１０（ｄ）である。同様に、図１０（ｂ）は、隙間４５ａ〜４５ｄの幅を０．７mmにした場合の発泡部材の断面図であって、それに対応する泡の写真が図１０（ｅ）である。図１０（ｃ）は、隙間４５ａ〜４５ｄの幅を１．０mmにした場合の発泡部材の断面図であって、それに対応する泡の写真が図１０（ｆ）である。
【００９５】
図１０（ｄ）〜（ｆ）に示すように、いずれの泡も、衝突板４３の無い図４（ｂ）に示す泡よりは泡質が良くなっているが、衝突板４３がある状態では、衝突板の外縁４３Ｏと筒部の内周面４６Ｉとの隙間幅は、例えば、０．４mm〜１．０mmであると好適である。
【００９６】
さらに、図１０（ｄ）〜図１０（ｆ）を比較すると、図１０（ｆ）に示すように隙間幅が１．０mmの場合、他の構成よりも泡が悪化している。そこで、衝突板４３の外縁４３Ｏと筒部４６の内周面４６Ｉとの隙間４５ａ〜４５ｄの幅は、０．５mm〜０．９mmであると、より好適である。
【００９７】
上記例では、発泡部材（泡発生パーツ）４０を、例えば３Ｄプリンター造形品などを用いて、一体で構成する例を説明したが、発泡部材は、分割体によって構成されてもよい。
【００９８】
＜第２実施形態の発泡部材＞
図１１は、本発明の発泡部材を分割体で構成する第２実施形態を示す図である。第２実施形態では、発泡部材４０Ａは、上下に二体に分割して構成し、嵌め合せて組み立てる。
【００９９】
図１１において、（ａ）は、本実施形態の発泡部材４０Ａの斜視分解図を示し、（ｂ）は斜視図を示し、（ｃ）は縦断面図を示す。
【０１００】
本実施形態では、樹脂製の発泡部材４０Ａは、軸線方向に分割された一組の分割体で構成されている。一方の分割体である上流側分割体４７に孔空き柱部４１Ａが一体的に形成され、他方の分割体である下流側分割体４８に衝突板４３Ａが一体的に形成されている。
【０１０１】
また、図１１（ｃ）を参照して、下側に示す上流側分割体４７の下流端の筒部は、内周側が薄い外側薄肉部４７１であり、上側に示す下流側分割体４８の上流端の筒部は、外周側が薄い内側薄肉部４８１である。そして、外側薄肉部４７１の内側に、内側薄肉部４８１がはまり込んで、分割体４７，４８が組み付けられる。この構成により、一組の分割体４７，４８を互いに組み付けた状態で、筒部の内周面及び外周面は連続的になる。
【０１０２】
さらに、本構成では、下流側分割体４８の上流端は、孔空き柱部４１Ａの下流端面４１Ｄに到達しているため、筒部の内周面に繋目を発生させることなく、孔空き柱部４１Ａよりも下流側の筒部の内周面４６Ｉは、すべて下流側分割体４８によって構成される例を示している。なお、外側薄肉部４７１と内側薄肉部４８１との組み付けにより段差を生じなければ、分割体４７，４８が組み付けられる筒部の内周面に分割体の繋目が発生してもよい。
【０１０３】
なお、図１１に示す構成では、上流側分割体４７の下流端に外側薄肉部４７１、下流側分割体４８の上流端に内側薄肉部４８１を設ける例を示したが、外側薄肉部を下流側分割体４８の上流端に設け、内側薄肉部を上流側分割体４７の下流端に設けてもよい。
【０１０４】
このような構成の発泡部材４０Ａを混合液剤Mが通過する際、図２同様に、混合液剤Ｍは、上流側分割体４７に設けられる孔空き柱部４１Ａの貫通孔４２を通過することで、流路が細くなるため、流速が高まる。そして、流速が高まった混合液剤が、下流側分割体４８に設けられる衝突板４３Ａに衝突することで、乱流を形成して混合液剤を泡立て、その乱流した泡が、合流しながら衝突板４３Ａと筒部の内周面４６Ｉとの隙間を通過する。これにより、きめ細かい泡を生成することができる。
【０１０５】
また、第２実施形態は、第１実施形態よりも、発泡部材を、樹脂で量産化製造するのに、好適な構成である。量産化に適した発泡部材の樹脂は、例えば、ＡＢＳ（アクリロニトリル・ブタジエン・スチレン）、ＰＢＴ（ポリブチレンテレフタレート）、ＰＯＭ（ポリアセタール）、ＰＰ（ポリプロピレン）、ＰＥ（ポリエチレン）、ＰＥＴ（ポリエチレンテレフタラート）等である。
【０１０６】
＜第３実施形態の発泡部材＞
上記例は、発泡部材を上下２体に別々に構成し、嵌め合せることで組み立てる例を説明したが、発泡部材は、ヒンジで２体を連結した構成であってもよい。
【０１０７】
図１２は、本発明の発泡部材４０Ｂを、ヒンジを介して折り畳むことで組み立てる第２の実施形態を示す図である。詳しくは、図１２（ａ），図１２（ｂ）は、発泡部材４０Ｂのヒンジを開いた状態の上面図及び正面図であり、図１１２（ｃ）、（ｄ）は発泡部材４０Ｂのヒンジを閉じた状態の上面図及び正面図であり、（ｅ）は図１２（ｄ）の発泡部材４０ＢのＣＣ切断面の縦断面図である。
【０１０８】
本実施形態では、一方の分割体である上流側分割体４７Ｂの下流端面と、他方の分割体である下流側分割体４８Ｂの上流端面とを連結する、一組の分割体と一体成形されたヒンジ部４９を有している。ヒンジ部４９は、上流側分割体４７Ｂ側のヒンジ片４９１と、下流側分割体４８Ｂ側のヒンジ片４９２との中心線で折り畳み可能である。
【０１０９】
ヒンジ部４９を中心として、一組の分割体４７Ｂ，４８Ｂの少なくとも一方を回転させて一組の分割体を組み付ける。
【０１１０】
また、本実施形態において、回転により分割体４７Ｂ，４８Ｂが近接した後、外側薄肉部４７２の内側に、内側薄肉部４８２がはまり込んで、分割体４７Ｂ，４８Ｂが組み付けられる。そのため、図１２（ｅ）に示す本構成では、図１１（ｃ）に示す第２実施形態よりも外側薄肉部４７２と内側薄肉部４８２との重なりの部分は、短く構成されている。これにより、本構成では、分割体４７Ｂ，４８Ｂが組み付けられる筒部の内周面４６Ｉに分割体の繋目が発生している。
【０１１１】
また、図１２（ｄ）に示すように、発泡部材４０Ｂにおいて、ヒンジ部４９が筒部の外周面よりも外側に突出する。そのため、本構成の発泡部材４０Ｂを、図１のヘッド部５０の流動管５４の内周に嵌めこんで泡吐出ディスペンサー１００を組み立てる際は、ヒンジ部４９が嵌まるように、流動管５４の内周面に軸線方向に図示しない凹みが形成されてもよい。
【０１１２】
しかし、本構成では回転により接合するため、分割体４７Ｂ，４８Ｂの２体がバラバラになることなく、形成することができる。
【０１１３】
このような構成の発泡部材４０Ｂを混合液剤Mが通過する際、図２同様に、混合液剤Ｍは、上流側分割体４７Ｂに設けられる孔空き柱部４１Ｂの貫通孔４２を通過することで、流路が細くなるため、流速が高まる。そして、流速が高まった混合液剤が、下流側分割体４８Ｂの衝突板４３Ｂに衝突することで、乱流を形成して混合液剤を泡立て、その乱流した泡が、合流しながら衝突板４３Ｂと筒部の内周面４６Ｉとの隙間４５ａ〜４５ｄを通過する。これにより、きめ細かい泡を生成することができる。
【０１１４】
＜第４実施形態の発泡部材＞
上記の分割型の第２、第３の実施形態では、孔空き柱部４１と衝突板４３とを上下の分割体で構成して組み立てる発泡部材の例を示していたが、発泡部材の一部の機能をヘッド部に設けてもよい。
【０１１５】
図１３は、本発明の発泡部材の発泡機能の一部をヘッド側に設ける第４実施形態を示す図である。図１４は、第４実施形態の発泡部材を構成するヘッド部と筒状部材をそれぞれ示す図である。本実施形態では、発泡部材４０Ｃは、ヘッド部５０Ｃの一部と、筒状部材４００によって構成される。
【０１１６】
詳しくは、図１３において、（ａ）はヘッド部５０Ｃと、筒状部材４００とを連結した縦断面図、（ｂ）は、ヘッド部５０Ｃと筒状部材４００とを分解した斜視図である。図１４において、（ａ）はヘッド部５０Ｃの断面図、（ｂ）はヘッド部５０Ｃの下面図、（ｃ）は筒状部材４００の上面図、（ｄ）は筒状部材４００の断面図である。
【０１１７】
本実施形態では、混合液剤を泡化させる発泡部材の一部である衝突板は、ヘッド部５０Ｃの流動管５４Ｃ内に設けられており、衝突板は、筒状部材４００には設けられていない。
【０１１８】
即ち、本構成では、発泡部材の一部の筒状部材４００は、図１１、図１２に示した上流側分割体４７（４７Ｂ）側の機能を有し、下流側分割体４８（４８Ｂ）側の機能を有さない。そして、図１１、図１２では、下流側分割体に設けられていた、衝突板５４３は、ヘッド部５０Ｃの、筒状部材４００からの直進流路である流動管５４Ｃ内に設けられている。
【０１１９】
さらに、本実施形態では、筒状部材４００はさらに、孔空き柱部４１Ｃよりも上流側に筒部４６Ｃを有している。この筒部４６Ｃは、上流側の流動管として機能し、例えば、図１に示す噴射部材３０が内周側にセットされる。
【０１２０】
さらに、筒状部材４００の筒部４６Ｃの下流側（上端側）は、外周側が薄くなった内側薄肉部４７３となっている。また、流動管５４Ｃの上流端側（下端側）は、下流流動管５４６よりも、内周側が薄くなった外側薄肉部５４１となっている。そのため、流動管５４Ｃの外側薄肉部５４１の内側に、筒状部材４００の内側薄肉部４７３がはまり込むことで、図１３（ａ）に示すように、筒状部材４００がヘッド部５０Ｃに対して装着される。このように装着した状態で、流動管５４Ｃ及び筒状部材４００の周面は連続的になる。
【０１２１】
なお、ヘッド部５０Ｃの流動管５４Ｃに設けられる衝突板５４３は、発泡部材内に設けられる場合と同様に、孔空き柱部４１Ｃと非接触で、流動管５４Ｃの内周面付近の少なくとも一部には間隙が形成されるように外縁が位置し、複数の架橋部によって、内周面と連接されており、流動管５４Ｃの周方向の中央部を含んで構成されている。
【０１２２】
なお、筒状部材４００において、孔空き柱部４１Ｃは、下流端（上端）に設けられている例を示しているが、衝突板を有さない筒状部材４００において、孔空き柱部４１Ｃは、少し上流側（図１３の下側）に設けてもよい。
【０１２３】
このような構成の筒状部材４００及びヘッド部５０Ｃの流動管５４Ｃを混合液剤Mが通過する際、図２同様に、混合液剤Ｍは、筒状部材４００に設けられる孔空き柱部４１Ｃの貫通孔４２を通過することで、流路が細くなるため、流速が高まる。そして、流速が高まった混合液剤が、ヘッド部の流動管の末端に設けられる衝突板５４３に衝突することで、乱流を形成して混合液剤を泡立て、その乱流した泡が、合流しながら衝突板５４３と流動管の内周面との隙間５４５ａ〜５４５ｄを通過する。これにより、きめ細かい泡を生成することができる。
【０１２４】
なお、第１〜第４実施形態のいずれにおいても、流動管及び発泡部材に対して異素材のメッシュは設けないため、長時間放置しても、発泡部材における目詰まりの発生を抑制できる。
【０１２５】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【０１２６】
１  泡吐出容器
１０  送出機構
２０  気液混合部
３０  噴射部材
４０，４０Ｂ，４０Ｃ  発泡部材（発泡部品）
４１，４１Ａ，４１Ｂ  孔空き柱部
４２  貫通孔（孔）
４３，４３Ａ，４３Ｂ  衝突板（衝突部）
４３Ｏ  衝突板の外縁
４４ａ，４４ｂ，４４ｃ，４４ｄ  架橋部
４５ａ，４５ｂ，４５ｃ，４５ｄ  隙間（間隙）
４６，４６Ｃ  筒部
４６Ｉ  内周面
４７，４７Ｂ  上流側分割体（分割体）
４８，４８Ｂ  下流側分割体（分割体）
４９  ヒンジ部
５０，５０Ｃ  ヘッド部
５１  吐出口
５２  吐出ノズル
５３  操作受部
５４，５４Ｃ  流動管
５５  外筒
６０  ネジキャップ部
１００  泡吐出ディスペンサー
１１０  シリンダ部
１２０  ピストンガイド
１３０  液ピストン
１４０  ポペット
１５０  気体ピストン
１６０  ボール弁
９００  容器本体
４００  筒状部材
F  泡化した液剤
L  液体の液剤
M  混合液剤
【図１】
2020196497.tif 000003
【図２】
2020196497.tif 000004
【図３】
2020196497.tif 000005
【図４】
2020196497.tif 000006
【図５】
2020196497.tif 000007
【図６】
2020196497.tif 000008
【図７】
2020196497.tif 000009
【図８】
2020196497.tif 000010
【図９】
2020196497.tif 000011
【図１０】
2020196497.tif 000012
【図１１】
2020196497.tif 000013
【図１２】
2020196497.tif 000014
【図１３】
2020196497.tif 000015
【図１４】
2020196497.tif 000016